(57)【要約】【課題】  比較的小さなサイズの画面でも、多数のチャンネル（ｃｈ）について多数のパラメータの編集を、操作性よく行えるようにする。【解決手段】  複数のｃｈを備え、そのｃｈ毎に、設定された複数のパラメータの値に従って音響信号に対する処理を行う音響信号処理装置において、編集対象のｃｈ及び編集対象のパラメータの選択を受け付け、その選択に応じて、選択されているｃｈを含むｍ個（ｍは２以上の整数）のチャンネルについて編集対象のパラメータの状態を表示するための周辺ｃｈ情報表示部１２０と、選択されているチャンネルを含むｎ個（ｎ＜ｍ）のｃｈについて編集対象のパラメータの編集操作を受け付けるための編集操作受付部１１０と含むイコライザ編集画面１００等の編集画面を表示手段に表示させるようにした。【選択図】        図２
2014187668.tif 000002
【特許請求の範囲】
【請求項１】
複数のチャンネルを備え、前記チャンネル毎に、設定された複数のパラメータの値に従って音響信号に対する処理を行う音響信号処理装置であって、
チャンネルの選択を受け付ける手段と、
編集対象のパラメータの選択を受け付ける手段と、
編集対象のパラメータの選択に応じて、選択されているチャンネルを含むｍ個（ｍは２以上の整数）のチャンネルについて前記編集対象のパラメータの状態を表示するための領域と、前記選択されているチャンネルを含むｎ個（ｎ＜ｍ）のチャンネルについて前記編集対象のパラメータの編集操作を受け付けるための領域とを含む編集画面を表示手段に表示させる表示制御手段とを備えたことを特徴とする音響信号処理装置。
【請求項２】
請求項１に記載の音響信号処理装置であって、
前記編集画面の、前記編集対象のパラメータの状態を表示する領域において、チャンネルの選択を受け付けることを特徴とする音響信号処理装置。
【発明の詳細な説明】
【技術分野】
【０００１】
この発明は、複数のチャンネルを備え、そのチャンネル毎に、設定された複数のパラメータの値に従って音響信号に対する処理を行う音響信号処理装置に関する。
【背景技術】
【０００２】
従来から、複数のチャンネルを備え、そのチャンネル毎に、設定された複数のパラメータの値に従って音響信号に対する処理を行う音響信号処理装置において、画面に表示させたＧＵＩ（グラフィカルユーザインタフェース）により、各チャンネルのパラメータの状態を表示しつつ、そのパラメータの値の編集操作を受け付けることが行われている。
【０００３】
図１０に、このようなＧＵＩ画面の例を示す。
図１０に示す８ｃｈ（チャンネル）画面３００においては、音響信号の入力部から入力ｃｈまでの信号処理に用いる１ｃｈ分のパラメータの状態を表示し、またそのパラメータの値の編集操作を受け付けるためのｃｈ操作部３１０を、８ｃｈ分設けている。
【０００４】
ｃｈ操作部３１０には、頻繁に操作するパラメータについては、フェーダ操作部３１１やパン操作部３１２のように、１つのパラメータの値を表示しつつそのパラメータの編集操作を受け付けるための領域が配置されている。フェーダ操作部３１１においては、つまみの位置が該当ｃｈにおけるフェーダパラメータの値を示し、パン操作部３１２においても、つまみの角度が該当ｃｈにおけるパンパラメータの値を示す。また、双方とも、ユーザがつまみをドラッグ操作することにより対応するパラメータの値を変更することができる。
【０００５】
また、パラメータの数が多く、表示や編集操作受付に十分なスペースが取れないパラメータについては、イコライザ表示部３１３及びコンプレッサ表示部３１４のように、複数のパラメータにより規定される信号処理の状態を表示する表示部のみを設けている。イコライザ表示部３１３は、グラフにより、複数のバンドに関するＱ値、中心周波数及びゲイン値のパラメータの値から決定される、該当ｃｈにおけるイコライザの周波数特性を表示している。コンプレッサ表示部３１４には、同様にコンプレッサの特性を表示している。
【０００６】
そして、このように個別のパラメータを編集するための操作部を用意できないパラメータについては、対応する表示部を操作することにより、当該パラメータの状態を表示し、またそのパラメータの値の編集操作を受け付けるためのパラメータ編集画面をポップアップ表示させることができるようにすることが知られている。なお、この画面で表示及び編集を行うのは、操作された表示部が属するｃｈ操作部３１０と対応するｃｈのパラメータである。
【０００７】
図１１に、このようなパラメータ編集画面の例を示す。
図１１に示すイコライザ編集画面３２０においては、Ａ〜Ｆの６つのバントについてそれぞれＱ値（Q）、中心周波数（Freq.）及びゲイン値（Gain）のパラメータの値を表示すると共にその設定操作を受け付けるためのつまみ３２２を配置している。各つまみ３２２の角度が各パラメータの値を示し、またユーザがつまみをドラッグ操作することにより各パラメータの値を変更することができる。周波数特性表示部３２１は、グラフによりイコライザ表示部３１３と同じ周波数特性を表示する。
【０００８】
音響信号処理装置において、必要に応じて図１１に示すようなパラメータ編集画面を設けることにより、比較的小さなサイズの画面により、多数のｃｈについて多数のパラメータの編集操作を受け付けることができる。
これらのようなＧＵＩを用いたパラメータの表示及び編集については、例えば非特許文献１に記載されている。
【０００９】
また、これとは別に、特許文献１には、棒グラフにより６４ｃｈ分のレベルメータの値を１６ｃｈずつに分けて設けた表示部に表示しつつ、その表示部をタッチすることにより、対応する１６ｃｈを１６本のｃｈストリップにそれぞれ割り当てられるようにしたミキシング装置が記載されている。
【００１０】
特許文献２には、グラフにより、モードに応じて異なる特定のパラメータの値を、１６ｃｈずつに分けて設けた表示部に全ｃｈ分表示しつつ、その表示部をタッチすることにより、対応する１６ｃｈを１６本のｃｈストリップにそれぞれ割り当てられるようにしたミキシング装置が記載されている。
【先行技術文献】
【特許文献】
【００１１】
【特許文献１】特許第５０７７８１６号公報
【特許文献２】特開２０１１−２３９０１９号公報
【非特許文献】
【００１２】
【非特許文献１】「ＤＩＧＩＴＡＬ  ＭＩＸＩＮＧ  ＣＯＮＳＯＬＥ  Ｍ７ＣＬ  取扱説明書」，ヤマハ株式会社，２００５年
【発明の概要】
【発明が解決しようとする課題】
【００１３】
ところで、図１０及び図１１を用いて説明したようなＧＵＩを用いる従来の音響信号処理装置では、図１１に示したパラメータ編集画面を用いたパラメータの参照及び編集に関する操作性が悪いという問題があった。
例えば、８ｃｈ画面３００上にイコライザ編集画面３２０をポップアップ表示させてしまうと、イコライザ編集画面３２０に隠されて、イコライザ編集画面３２０に表示されるｃｈ以外のｃｈにおけるパラメータの状態を参照できなくなってしまう。従って、他ｃｈの状態を参照しつつパラメータの編集を行うことができない。
【００１４】
この点について、特許文献１及び２に記載の技術は、物理的な操作子からなるｃｈストリップにｃｈを割り当てることを主眼としたものであり、画面上におけるパラメータの参照及び編集に関する上記の問題に対する解決手段は与えていない。
すなわち、特許文献１及び２に記載の技術は、レベルメータや何らかのパラメータについて多数のｃｈ分の値を画面上にグラフで表示させることはできるが、必ずしも編集したいパラメータの値を参照できるものではない。
【００１５】
この発明は、このような背景に基づきなされたものであり、音響信号処理装置においてパラメータの値を編集する場合において、比較的小さなサイズの画面でも、多数のｃｈについて多数のパラメータの編集を、操作性よく行えるようにすることを目的とする。
【課題を解決するための手段】
【００１６】
上記の目的を達成するため、この発明の音響信号処理装置は、複数のチャンネルを備え、上記チャンネル毎に、設定された複数のパラメータの値に従って音響信号に対する処理を行う音響信号処理装置において、チャンネルの選択を受け付ける手段と、編集対象のパラメータの選択を受け付ける手段と、編集対象のパラメータの選択に応じて、選択されているチャンネルを含むｍ個（ｍは２以上の整数）のチャンネルについて上記編集対象のパラメータの状態を表示するための領域と、上記選択されているチャンネルを含むｎ個（ｎ＜ｍ）のチャンネルについて上記編集対象のパラメータの編集操作を受け付けるための領域とを含む編集画面を表示手段に表示させる表示制御手段とを設けたものである。
このような音響信号処理装置において、上記編集画面の、上記編集対象のパラメータの状態を表示する領域において、チャンネルの選択を受け付けるようにするとよい。
【発明の効果】
【００１７】
以上のようなこの発明の音響信号処理装置によれば、音響信号処理装置においてパラメータの値を編集する場合において、比較的小さなサイズの画面でも、多数のｃｈについて多数のパラメータの編集を、操作性よく行えるようにすることができる。
【図面の簡単な説明】
【００１８】
【図１】図１に、この発明の音響信号処理装置の実施形態であるデジタルミキサのハードウェア構成例を示す図である。
【図２】イコライザ編集画面の例を示す図である。
【図３】コンプレッサ表示画面の例を示す図である。
【図４】図１に示したデジタルミキサにおいてパラメータメモリに記憶させるデータの例を示す図である。
【図５】パラメータ編集画面の表示のために図１に示したデジタルミキサのＣＰＵが実行する処理のフローチャートである。
【図６】周辺ｃｈ情報表示部へ操作に応じて、周辺ｃｈ情報表示部に表示するｃｈの範囲を変更する機能について説明するための図である。
【図７】その別の例を示す図である。
【図８】そのさらに別の例を示す図である。
【図９】デジタルミキサの別の構成例を示す図である。
【図１０】従来の音響信号処理装置が用いるＧＵＩの例を示す図である。
【図１１】従来の音響信号処理装置が用いるパラメータ編集画面の例を示す図である。
【発明を実施するための形態】
【００１９】
以下、この発明を実施するための形態を図面に基づいて具体的に説明する。
まず、図１に、この発明の音響信号処理装置の実施形態であるデジタルミキサのハードウェア構成例を示す。
図１に示すように、デジタルミキサ１０は、ＣＰＵ１１、フラッシュメモリ１２、ＲＡＭ１３、外部機器Ｉ／Ｏ（入出力部）１４、表示器１５、操作子１６、波形Ｉ／Ｏ１７、ＤＳＰ（信号処理部）１８を備え、これらがシステムバス１９により接続されている。
【００２０】
このうち、ＣＰＵ１１は、デジタルミキサ１０の動作を統括制御する制御手段であり、フラッシュメモリ１２に記憶された所要の制御プログラムを実行することにより、後述するＧＵＩの表示制御機能をはじめとする種々の制御機能を実現する。
フラッシュメモリ１２は、ＣＰＵ１１が実行する制御プログラムを始め、電源を切っても残しておくべきデータを記憶する書き換え可能な不揮発性記憶手段である。
【００２１】
ＲＡＭ１３は、一時的に記憶すべきデータを記憶したり、ＣＰＵ１１のワークメモリとして使用したりする記憶手段である。
外部機器Ｉ／Ｏ１４は、ユーザに情報を提示し、またユーザから操作を受け付けるための、ディスプレイ、キーボード、ポインティングデバイス、タッチパネル等の外部装置と接続するためのインタフェースである。これら以外の装置と接続可能にしてもよい。
表示）等の表示手段である。
【００２２】
操作子１６は、デジタルミキサ１０に対する操作を受け付けるためのものであり、種々のキー、ボタン、ロータリーエンコーダ、ノブ、スライダ等によって構成することができる。表示器１５に積層したタッチセンサを操作子１６として用いてタッチパネルを構成してもよい。
波形Ｉ／Ｏ１７は、デジタルミキサ３０の外部との間で音響信号を入出力するためのインタフェースである。
ＤＳＰ１８は、波形Ｉ／Ｏ１７から入力した音響信号に対し、複数の信号処理ｃｈでミキシング、イコライジング、エフェクト付与を始めとする種々の処理を行い、その結果を波形Ｉ／Ｏ１７に供給して外部へ出力させる、音響信号処理手段である。
【００２３】
以上のデジタルミキサ１０は、６４個の入力ポートから入力するデジタル音響信号を処理するための６４個の入力ｃｈを備る。
各入力ｃｈは、入力パッチにより結線された入力ポートから入力する音響信号に対し、コンプレッサ、イコライザ、レベル調整等の複数の信号処理要素に係る信号処理を、パラメータメモリに設定されているパラメータの値に従って行う。また、各入力ｃｈは、処理後の音響信号を、３２系統のミキシングバスにそれぞれ出力し、各系統のミキシングバスが各入力ｃｈから該ミキシングバスに入力された音響信号をミキシングする。
【００２４】
また、各系統のミキシングバスは、ミキシング後の音響信号を、対応する出力ｃｈに供給する。そして、３２系統のミキシングバスと対応する３２個の各出力ｃｈは、ミキシングバスから供給される音響信号に対し、コンプレッサ、イコライザ、レベル調整等の複数の信号処理要素に係る信号処理を、パラメータメモリに設定されているパラメータの値に従って行う。そして、各出力ｃｈは、処理後の音響信号を、出力パッチにより結線された出力ポートに対して出力する。
【００２５】
デジタルミキサ１０は、以上の信号処理に用いるパラメータの状態を表示し、またパラメータの値の編集操作を受け付けるため、まず、図１０に示した従来の８ｃｈ画面３００と同様なＧＵＩを用いる。
この８ｃｈ画面３００により、上述した６４個の入力ｃｈ及び３２個の出力ｃｈから選択された８個のｃｈにつき、そのｃｈの信号処理（及びそのｃｈと接続された入出力ポートにおける処理）に用いるパラメータの状態を表示し、またそのパラメータの値の編集操作を受け付ける。
【００２６】
しかし、イコライザ表示部３１３やコンプレッサ表示部３１４をはじめとする各表示部の操作に応じてデジタルミキサ１０が表示するパラメータ編集画面は、図１１を用いて説明したものとは異なる。なお、８ｃｈ画面３００において、これらの各表示部は、ｃｈ操作部３１０の中に、信号処理要素あるいはパラメータと対応して設けられているものである。従って、各表示部に対する操作は、ｃｈ操作部３１０と対応するｃｈを編集対象ｃｈとして選択し、かつ表示部と対応する信号処理要素のパラメータあるいは表示部と対応するパラメータを編集対象のパラメータとして選択する操作であると考えることができる。
また、デジタルミキサ１０は、ＧＵＩに対する操作を、ポインティングデバイスあるいはタッチパネル等により受け付けることができる。
【００２７】
図２及び図３に、デジタルミキサ１０が用いるパラメータ編集画面の例を示す。
図２に示すイコライザ編集画面１００は、８ｃｈ画面３００のイコライザ表示部３１３に対する操作に応じてデジタルミキサ１０がポップアップ表示するパラメータ編集画面であり、編集操作受付部１１０と周辺ｃｈ情報表示部１２０とを含む。
【００２８】
このうち編集操作受付部１１０は、編集対象ｃｈにおける編集対象のパラメータについて、そのパラメータの状態の表示と編集操作の受付を行うための領域である。
そして、編集操作受付部１１０には、Ａ〜Ｆの６つのバントについてそれぞれＱ値（Q）、中心周波数（Freq.）及びゲイン値（Gain）のパラメータの値を表示すると共にその編集操作を受け付けるためのつまみ１１２を配置している。各つまみ１１２の角度が、該つまみにより編集するパラメータの現在の値を示す。またユーザがつまみをドラッグ操作することにより各パラメータの値を変更することができる。周波数特性部１１１は、各つまみ１１２による編集対象のパラメータの値により定められる、編集対象ｃｈにおけるイコライザの周波数特性をグラフにより表示する。この表示内容は、８ｃｈ画面３００のイコライザ表示部３１３と同じである。
【００２９】
また、周辺ｃｈ情報表示部１２０は、編集対象ｃｈ自身を含む、編集対象ｃｈの周辺のｃｈについて、それらのｃｈにおいて現在設定されているパラメータの値に基づき定められるイコライザの周波数特性を、ｃｈ毎に表示する。ここでは、８ｃｈ画面３００に表示されていた各ｃｈについて周波数特性を表示している。この周波数特性は各ｃｈと対応するｃｈ操作部３１０内のイコライザ表示部３１３に表示されていたものと同じである。
【００３０】
また、周辺ｃｈ情報表示部１２０は、編集対象ｃｈの選択を受け付ける機能も備える。周辺ｃｈ情報表示部１２０における、各ｃｈのイコライザの周波数特性を表示する領域は、アイコンとして機能し、該領域への操作を、対応するｃｈを編集対象ｃｈとして選択する操作として受け付ける。
【００３１】
図２の例では、２番目のｃｈが編集対象ｃｈとして選択されており、これを示すため、２番目のｃｈの周波数特性を表示する領域（アイコン）１２１が他の領域と異なる表示態様となっている。表示態様の区別は、色、明るさ、アイコンの形状（押下状態か押下解除状態か等）等により行うことができる。
【００３２】
以上のイコライザ編集画面１００によれば、８ｃｈ画面３００において選択した、編集対象ｃｈにおける編集対象のパラメータを、周辺の他ｃｈにおける対応するパラメータの状態を参照しつつ編集することができる。従って、他ｃｈの状態を参照するためにイコライザ編集画面１００を一旦閉じて、編集のために再度開くといった操作が不要であり、高い操作性を得ることができる。
また、周辺ｃｈ情報表示部１２０を操作することにより編集対象ｃｈを変更することができるので、この場合でも、イコライザ編集画面１００を一旦閉じて、別のｃｈのパラメータを編集するためのイコライザ編集画面１００を再度開くといった操作が不要であり、高い操作性を得ることができる。
【００３３】
図３に示すコンプレッサ表示画面２００も、基本的な機能及び構成はイコライザ編集画面１００と同様である。すなわち、コンプレッサ表示画面２００は、８ｃｈ画面３００のコンプレッサ表示部３１４に対する操作に応じてデジタルミキサ１０がポップアップ表示するパラメータ編集画面であり、編集操作受付部２１０と周辺ｃｈ情報表示部２２０とを含む。
【００３４】
このうち編集操作受付部２１０は、編集対象ｃｈにおける編集対象のパラメータについて、パラメータの状態の表示と編集操作の受付を行うための領域である。
そして、編集操作受付部２１０には、コンプレッサの信号処理で用いるスレッショルド、レート、ゲイン等の各種パラメータの値を表示すると共にその編集操作を受け付けるためのつまみ２１３を配置している。特性表示部２１１は、それらのパラメータの値により規定されるコンプレッサの特性である、入力信号レベルと出力信号レベルの関係を示すグラフを表示する。レベルメータ表示部２１２は、コンプレッサへの入力信号のレベルと出力信号のレベル、及びコンプレッサ処理によるゲイン値を、リアルタイムで表示する。
【００３５】
また、周辺ｃｈ情報表示部２２０は、編集対象ｃｈ自身を含む、編集対象ｃｈの周辺のｃｈについて、それらのｃｈにおいて現在設定されているパラメータの値に基づき定められるコンプレッサの特性を、ｃｈ毎に表示する。また、周辺ｃｈ情報表示部２２０は、編集対象ｃｈの選択を受け付ける機能も備える。
図３の例では、２番目のｃｈが編集対象ｃｈとして選択されており、これを示すため、２番目のｃｈのコンプレッサの特性を表示する領域（アイコン）２２１が他の領域と異なる表示態様となっている。
【００３６】
図示は省略したが、デジタルミキサ１０においては、８ｃｈ画面３００における各表示部と対応して、図２及び図３に示したようなパラメータ編集画面面を用意し、編集対象ｃｈにおける編集対象のパラメータを、周辺の他ｃｈにおける対応するパラメータの状態を参照しつつ編集することができるようにしている。
【００３７】
次に、上述のパラメータ編集画面の表示に用いるデータ及び表示のための処理について説明する。
図４に、パラメータメモリに記憶させるデータの例を示す。
図４に示すパラメータメモリは、ＤＳＰ１８における信号処理に用いる各パラメータについて、信号処理に反映させる現在の値を記憶させるための記憶手段であり、ＲＡＭ１３に必要な記憶領域を確保して設ける。そして、ＣＰＵ１１が、上述したＧＵＩにより受け付けた編集操作に応じてこのパラメータメモリに記憶されているパラメータの値を変更することにより、ユーザの操作に従ったパラメータの編集を実行することができる。
【００３８】
そして、編集後のパラメータメモリのデータは、フラッシュメモリ１２に保存しておくことができる。また、フラッシュメモリ１２に保存しておいたデータをパラメータメモリに読み出して、ＤＳＰ１８における信号処理に反映させることもできる。
また、図４に示す通り、このパラメータメモリには、少なくとも、デジタルミキサ１０が備える各信号処理ｃｈについて、そのｃｈにおいて各信号処理要素が実行する信号処理の内容を規定するパラメータの値をｃｈ毎に記憶する。図４の例では、コンプレッサ、イコライザ及びフェーダのパラメータを示している。
【００３９】
図５に、パラメータ編集画面の表示のためにＣＰＵ１１が実行する処理のフローチャートを示す。
ＣＰＵ１１は、編集対象のパラメータを選択するパラメータ選択操作を検出すると、図５のフローチャートに示す処理を開始する。８ｃｈ画面３００のいずれかの表示部に対する操作が、このパラメータ選択操作に該当する。また、この操作は、操作された表示部が属するｃｈ操作部３１０と対応するｃｈを編集対象ｃｈとして選択するｃｈ選択操作にも該当する。
【００４０】
図５の処理において、ＣＰＵ１１はまず、選択された編集対象ｃｈに基づき、周辺ｃｈ表示部に表示すべきｃｈを特定する（Ｓ１１）。図２及び図３の例では、８ｃｈ画面３００に表示されているｃｈ、すなわち、編集対象ｃｈを含む、８ｃｈ毎のｃｈグループ（レイヤ）の情報を周辺ｃｈ表示部に表示するとした。従ってこの規則に従い周辺ｃｈ表示部に表示すべきｃｈを特定すればよい。これと異なる規則を用いる場合、その規則に従って選択すればよい。
【００４１】
次に、ＣＰＵ１１は、ステップＳ１１で特定した各ｃｈについて、編集対象のパラメータの値をパラメータメモリから読み出す（Ｓ１２）。そして、読み出したパラメータの値に基づき、周辺ｃｈ表示部の画面データを生成する（Ｓ１３）。このとき、編集対象ｃｈのパラメータの状態を示すアイコンは、これを示すため他のアイコンと表示態様を異ならせる。
【００４２】
さらに、ＣＰＵ１１は、ステップＳ１２で読み出したパラメータの値に基づき、現在選択されている編集対象ｃｈについて、編集対象パラメータの編集操作を受け付けるための編集操作受付部の画面データを生成する（Ｓ１４）。
その後、ＣＰＵ１１は、ステップＳ１３で生成した周辺ｃｈ表示部とステップＳ１４で生成した編集操作受付部を含む、図２あるいは図３のようなパラメータ編集受付のためのパラメータ編集画面を、表示器１５にポップアップ表示させて（Ｓ１５）、処理を終了する。
以上の処理において、ＣＰＵ１１は表示制御手段として機能する。
【００４３】
なお、ＣＰＵ１１は、周辺ｃｈ表示部に表示したいずれかのｃｈと対応するアイコンに対する操作を検出した場合にも、図５と同様な処理を実行し、パラメータ編集画面の表示を更新する。この場合、アイコンに対する操作は、該アイコンと対応するｃｈを編集対象ｃｈとして選択するｃｈ選択操作に該当する。
また、図２及び図３のように、８ｃｈ画面３００に表示されているｃｈにおけるパラメータの状態を周辺ｃｈ表示部に表示させる場合、周辺ｃｈ表示部のアイコンに対する操作に応じて周辺ｃｈ表示部に表示すべきｃｈが変化することはない。このため、ステップＳ１１及びＳ１２の処理は省略して、編集対象ｃｈを示す表示のみ変更するようにしてもよい。
【００４４】
以上で実施形態の説明を終了するが、装置の構成、画面の具体的な構成、具体的な処理の手順、画面において表示及び編集可能なパラメータの種類などが、上述の実施形態で説明したものに限られないことはもちろんである。
例えば、上述の実施形態では、編集操作受付部１１０，２１０において、１ｃｈ分のパラメータの編集操作を受け付けるようにしたが、複数ｃｈ分のパラメータの編集操作を受け付けるようにしてもよい。
【００４５】
この場合、複数の編集対象ｃｈの選択を個別に受け付けるようにしてもよいが、編集対象ｃｈとしては１つのｃｈのみ選択を受付、そのｃｈを基準に、編集操作を受け付ける他のｃｈを決定するようにしてもよい。選択されたｃｈの次のｃｈ、選択されたｃｈとペアになっているｃｈ等である。もちろん、３以上のｃｈのパラメータについて編集操作を受け付けるようにしてもよい。ただし、複数のｃｈについて編集操作を受け付ける場合、それぞれ対応する（同じ機能の）パラメータの編集操作を受け付ける。
【００４６】
また、周辺ｃｈ情報表示部１２０，２２０にパラメータの状態を表示させるｃｈの数も、８に限られない。編集対象ｃｈの周辺のｃｈの情報を表示する、という観点から、編集操作受付部において編集操作を受け付けるｃｈの数よりも多い数のｃｈについてパラメータの状態を表示することが望ましいが、その数は８より多くても少なくてもよい。
また、周辺ｃｈ情報表示部１２０，２２０にパラメータの状態を表示させるｃｈを、８ｃｈ画面３００の表示と対応させる必要もない。例えば、編集対象ｃｈの前後所定数ずつのｃｈについてパラメータの状態を表示させることも考えられる。
【００４７】
また、周辺ｃｈ情報表示部への操作に応じて、周辺ｃｈ情報表示部にどの範囲のｃｈの情報を表示させるかを変更できるようにしてもよい。図６乃至図８にその例を示す。
図６に示すのは、周辺ｃｈ情報表示部へのスワイプ操作に応じて、ｃｈの範囲をスライドさせる例である。
【００４８】
ＣＰＵ１１は、図６の上側の図に白抜き矢印で示すように、周辺ｃｈ情報表示部において画面を左向きになでるスワイプ操作を検出した場合、それに応じて、周辺ｃｈ情報表示部に表示するｃｈの範囲を、ｃｈ番号が大きい方へ変化させる。図６の例では、操作前は上側の図に示すように１〜８番目のｃｈの情報を表示し、操作後は下側の図に示すように３〜１０番目のｃｈの情報を表示する。このための表示処理は、図５のステップＳ１１〜Ｓ１３と同様なものである。
また、図示は省略したが、ＣＰＵ１１は、右向きのスワイプ操作を検出した場合には、それに応じて、周辺ｃｈ情報表示部に表示するｃｈの範囲を、ｃｈ番号が小さい方へ変化させる。
【００４９】
次に、図７に示すのは、周辺ｃｈ情報表示部へのピンチアウト操作に応じて、表示するｃｈ数を減らす例である。
ＣＰＵ１１は、図７の上側の図に白抜き矢印で示すように、周辺ｃｈ情報表示部において、画面に触れる２本の指の間隔を徐々に広げるピンチアウト操作を検出した場合、それに応じて、周辺ｃｈ情報表示部に表示するｃｈの数を減少させる（１ｃｈ当たりの表示幅を広げる）。減少後に表示させるｃｈの範囲は、ピンチイン操作に係る２本の指の中間の位置のｃｈが、減少前と同じ位置に来るように定めるとよい。そして、減少後に表示させるｃｈの範囲を設定した後は、図５のステップＳ１１〜Ｓ１３と同様な処理により表示データを作成することができる。
図７の例では、操作前は上側の図に示すように１〜８番目の８個のｃｈの情報を表示し、操作後は下側の図に示すように３〜６番目の４個のｃｈの情報を表示している。
【００５０】
次に、図８に示すのは、周辺ｃｈ情報表示部へのピンチイン操作に応じて、表示するｃｈ数を増やす例である。
ＣＰＵ１１は、図８の上側の図に白抜き矢印で示すように、周辺ｃｈ情報表示部において、画面に触れる２本の指の間隔を徐々に狭めるピンチイン操作を検出した場合、それに応じて、周辺ｃｈ情報表示部に表示するｃｈの数を増加させる（１ｃｈ当たりの表示幅を狭める）。増加後に表示させるｃｈの範囲は、ピンチイン操作に係る２本の指の中間の位置のｃｈが、増加前と同じ位置に来るように定めるとよい。そして、増加後に表示させるｃｈの範囲を設定した後は、図５のステップＳ１３と同様な処理により表示データを作成することができる。
【００５１】
図８の例では、操作前は上側の図に示すように１〜８番目の８個のｃｈの情報を表示し、操作後は下側の図に示すように１〜１６番目の１６個のｃｈの情報を表示している。
なお、操作位置にある４番目のｃｈの位置が変わっているが、これは、１番目のｃｈが最小番号のｃｈであり、１番目のｃｈが一番左に来るように表示位置を定めたためである。左側に空白を作って４番目のｃｈの位置を維持するようにしてもよい。
【００５２】
なお、以上の図６乃至図８に示した例において、編集対象のｃｈが画面外へ出てしまうような操作がなされた場合、周辺ｃｈ情報表示部に表示するｃｈの範囲や数の変更を、編集対象のｃｈが画面内に残るところまでで止めるようにするとよい。すなわち、編集対象のｃｈの情報が常に周辺ｃｈ情報表示部に表示されるようにするとよい。周辺ｃｈ情報表示部は、編集対象のｃｈの周辺のｃｈの情報を表示するための領域であるためである。
【００５３】
また、上述した実施形態では、８ｃｈ画面３００中の表示部に対する操作により編集対象ｃｈ及び編集対象パラメータを選択する例について説明したが、これは必須ではない。まず、編集対象ｃｈと編集対象パラメータの選択を、別々に行えるようにしてもよい。さらに、編集対象ｃｈ及び編集対象パラメータを、操作パネル上に設けた物理的なボタン等の操作子や、８ｃｈ画面３００画面とは異なる選択用の画面により選択できるようにしてもよい。
また、イコライザ編集画面１００及びコンプレッサ編集画面２００のようなパラメータ編集画面を表示する場合、これをポップアップ表示することも必須ではない。前の画面から切り換えてこれらの画面を表示するようにしてもよい。
【００５４】
また、上述した実施形態では、デジタルミキサ１０が表示部１４を備える例について説明したが、デジタルミキサ１０が表示部を備えず、外部の表示装置にＧＵＩを表示させるようにしてもよい。
図９に、このような構成の例を示す。
図９に示すデジタルミキサ１０′は、スライダ２１及び選択スイッチ２２を含むｃｈストリップ２０を複数備えるが、大型の表示部は備えていない。これに代えて、デジタルミキサ１０′に接続されるタブレット型コンピュータ３０を表示器として用い、ＧＵＩの表示データをタブレット型コンピュータ３０に送信してこれらのＧＵＩを表示させる。
【００５５】
また、ＧＵＩに対する操作の情報をタブレット型コンピュータ３０から受信して、その操作内容に応じたパラメータの値の変更や、ＧＵＩの表示更新指示を行う。デジタルミキサ１０′とタブレット型コンピュータ３０との間の接続は、有線無線を問わず、任意の通信規格を用いて実現可能である。
このような構成であっても、上述した実施形態の場合と同様な効果を得ることができる。なお、タブレット型コンピュータ３０は、ＣＰＵ、ＲＯＭ、ＲＡＭ、通信Ｉ／Ｆ、タッチパネル等を備えた公知の構成でよい。
【００５６】
また、上述したＧＵＩを用いたパラメータの状態の表示及び編集等の機能を、１台の装置で実現することは必須ではない。その機能を複数の装置に分散して設け、その複数の装置が協働して機能を実現するようにしてもよい。例えば、図９に示した構成において、タブレット型コンピュータ３０が、ＧＵＩの表示更新及び操作検出に関する機能を持ち、ＧＵＩに対する操作に応じてパラメータの値の更新が必要な場合にその内容をデジタルミキサ１０′に通知し、その通知に応じてデジタルミキサ１０′がパラメータの内容を更新するようにしてもよい。この場合、タブレット型コンピュータ３０は、ＧＵＩの表示に必要なパラメータの値をデジタルミキサ１０′から取得する機能も備える。
この場合、デジタルミキサ１０′とタブレット型コンピュータ３０とは、ＧＵＩの表示機能を発揮するために不可分な構成要素であり、これらを合わせて１つの音響信号処理装置であると捉えることができる。
【００５７】
また、この発明は、デジタルミキサ以外にも、エフェクタ、レコーダ、アンプ、シンセサイザ等、任意の音響信号処理装置に適用可能である。タブレット型コンピュータ３０など、汎用コンピュータにこれらの装置の機能を設ける構成も考えられる。
また、以上述べてきた構成及び変形例は、矛盾しない範囲で適宜組み合わせて適用することも可能である。
【産業上の利用可能性】
【００５８】
以上の説明から明らかなように、この発明によれば、音響信号処理装置においてパラメータの値を編集する場合において、比較的小さなサイズの画面でも、多数のｃｈについて多数のパラメータの編集を、操作性よく行えるようにすることができる。
従って、この発明を適用することにより、音響信号処理装置の操作性を向上させることができる。
【符号の説明】
【００５９】
１０…デジタルミキサ、１１…ＣＰＵ、１２…フラッシュメモリ、１３…ＲＡＭ、１４…外部機器Ｉ／Ｏ、１５…表示器、１６…操作子、１７…波形Ｉ／Ｏ、１８…ＤＳＰ、１９…システムバス、２０…ｃｈストリップ、２１…スライダ、２２…選択スイッチ、３０…タブレット型コンピュータ、１００，３２０…イコライザ編集画面、１１０，２１０…編集操作受付部、１１１，３２１…周波数特性表示部、１１２，２１３，３２２…つまみ、１２０，２２０…周辺ｃｈ情報表示部、１２１，２２１…アイコン、３００…８ｃｈ画面、３１０…ｃｈ操作部、３１１…フェーダ操作部、３１２…パン操作部、３１３…イコライザ表示部、３１４…コンプレッサ表示部
【図１】
2014187668.tif 000003
【図２】
2014187668.tif 000004
【図３】
2014187668.tif 000005
【図４】
2014187668.tif 000006
【図５】
2014187668.tif 000007
【図６】
2014187668.tif 000008
【図７】
2014187668.tif 000009
【図８】
2014187668.tif 000010
【図９】
2014187668.tif 000011
【図１０】
2014187668.tif 000012
【図１１】
2014187668.tif 000013